(57)【要約】【課題】検知エリアの角度調整をワンタッチで簡単に行うことができる自動ドア用センサ装置を提供する。【解決手段】外ケース３の中に所定の水平回転軸４１を介して回動可能に支持された内ケース４を有し、内ケース４または外ケース３の互いに対向するいずれか一方の面には、角度調整手段５の一方として、水平回転軸４１の軸線に対して傾斜したガイド面５３を有するガイド板５１を有し、いずれか他方の面には、ガイド面５３に沿って摺動する摺動子５２を設ける。【選択図】図２
2014066676.tif 000002
【特許請求の範囲】
【請求項１】
自動ドアの上方で無目等の被取付部位に設置される外ケースと、上記自動ドアの出入り口近傍の床面を検知エリアとする人感センサを有し上記外ケース内に水平回転軸を介して回転可能に支持される内ケースと、上記内ケースを上記水平回転軸を中心として回転させて上記人感センサの上記自動ドアの踏み込み方向に沿った角度を調整する角度調整手段とを備えている自動ドア用センサ装置において、
上記内ケースは、バネ手段によって上記水平回転軸を中心として所定方向に常時付勢されており、上記角度調整手段は、上記外ケース側に摺動可能に設けられた摺動子と、上記摺動子と対向して上記内ケース側に設けられた固定子とを備え、
上記摺動子または上記固定子のいずれか一方には、上記内ケースを上記水平回転軸を中心として回転させるための所定の傾斜角を有するガイド面が形成されているとともに、いずれか他方には、上記バネ手段の付勢力にて上記ガイド面の一部分と常時当接する突起部が形成されていることを特徴とする自動ドア用センサ装置。
【請求項２】
上記摺動子は、上記水平回転軸の軸線方向に沿って摺動し、上記ガイド面は、上記水平回転軸を含む垂直面に対して所定の角度で傾斜していることを特徴とする請求項１に記載の自動ドア用センサ装置。
【請求項３】
上記摺動子は、上記水平回転軸の軸線方向に沿って摺動し、上記ガイド面は、上記水平回転軸を含む水平面に対して所定の角度で傾斜していることを特徴とする請求項１に記載の自動ドア用センサ装置。
【請求項４】
上記摺動子は、上記水平回転軸に対して直行する上下方向に摺動可能に設けられており、上記ガイド面は、上記摺動子の摺動方向に沿って配置されていることを特徴とする請求項１に記載の自動ドア用センサ装置。
【請求項５】
上記突起部が、上記摺動子側に設けられ、上記ガイド面が上記固定子側に設けられていることを特徴とする請求項１ないし４のいずれか１項に記載の自動ドア用センサ装置。
【請求項６】
上記摺動子は操作ノブを有し、上記外ケースは上記操作ノブが摺動可能に配置される操作窓を備え、上記操作窓には、上記操作ノブの移動量に対応する上記人感センサの上記自動ドアの踏み込み方向に沿った角度を表示するための目盛が付されていることを特徴とする請求項１ないし５のいずれか１項に記載の自動ドア用センサ装置。
【請求項７】
上記ガイド面には、所定間隔でノッチが刻まれていることを特徴とする請求項１ないし６のいずれか１項に記載の自動ドア用センサ装置。
【発明の詳細な説明】
【技術分野】
【０００１】
本発明は、自動ドア用の人感センサを備えたセンサ装置に関し、さらに詳しく言えば、検知エリアの調整が簡単にできる自動ドア用センサ装置に関する。
【背景技術】
【０００２】
自動ドア用センサ装置には、超音波式や踏圧マット式、赤外線の照射による光学式（反射式）などがあるが、監視エリアの設定が明確に行え、かつ、比較的安価に製造できる光学式のものが一般的に採用されている。
【０００３】
例えば特許文献１に記載されているように、光学式の自動ドア用センサ装置は、自動ドアの無目や天井などの上部に配置されている。光学式センサは、送信側としての赤外線発光部と、受信側としての赤外線受光部とを有し、発光部から床面に向けて照射された赤外線を床面で反射させて受光部で受光して、その受光信号の受光レベルの変化によって監視エリア内の物体検知を行っている。
【０００４】
このうち、エリア位置（照射位置）の調整については、特許文献１には、無目に対して取り付けられるカバーケースと、このカバーケース内に所定の水平回転軸を中心に回動可能に取り付けられたレンズユニットとを備え、レンズユニットの角度をねじを回すことによって、ドアの踏み込み方向の位置（照射位置）を調整可能とした点が開示されている。
【０００５】
しかしながら、このねじ式の調整方法によると、ねじの回し量と角度との関係が不明であるため、ねじを左右に回して試行錯誤的に角度を調整しなければならず、適切な角度位置とするまでには時間がかかる。また、ドライバーなどの工具がないときには調節することができないという問題がある。
【先行技術文献】
【特許文献】
【０００６】
【特許文献１】特開２００３−１９４９６１号公報
【発明の概要】
【発明が解決しようとする課題】
【０００７】
そこで、本発明の課題は、人の踏み込み方向に沿った人感センサの位置（照射角度）をワンタッチで簡単に行うことができる自動ドア用センサ装置を提供することにある。
【課題を解決するための手段】
【０００８】
上述した課題を解決するため、本発明は以下に示すいくつかの特徴を備えている。すなわち、自動ドアの上方で無目等の被取付部位に設置される外ケースと、上記自動ドアの出入り口近傍の床面を検知エリアとする人感センサを有し上記外ケース内に水平回転軸を介して回転可能に支持される内ケースと、上記内ケースを上記水平回転軸を中心として回転させて上記人感センサの上記自動ドアの踏み込み方向に沿った角度を調整する角度調整手段とを備えている自動ドア用センサ装置において、上記内ケースは、バネ手段によって上記水平回転軸を中心として所定方向に常時付勢されており、上記角度調整手段は、上記外ケース側に摺動可能に設けられた摺動子と、上記摺動子と対向して上記内ケース側に設けられた固定子とを備え、上記摺動子または上記固定子のいずれか一方には、上記内ケースを上記水平回転軸を中心として回転させるための所定の傾斜角を有するガイド面が形成されているとともに、いずれか他方には、上記バネ手段の付勢力にて上記ガイド面の一部分と常時当接する突起部が形成されていることを特徴としている。
【０００９】
より好ましい態様として、上記摺動子は、上記水平回転軸の軸線方向に沿って摺動し、上記ガイド面は、上記水平回転軸を含む垂直面に対して所定の角度で傾斜していることを特徴としている。
【００１０】
また別の態様として、上記摺動子は、上記水平回転軸の軸線方向に沿って摺動し、上記ガイド面は、上記水平回転軸を含む水平面に対して所定の角度で傾斜していることを特徴としている。
【００１１】
また別の態様として、上記摺動子は、上記水平回転軸に対して直行する上下方向に摺動可能に設けられており、上記ガイド面は、上記摺動子の摺動方向に沿って配置されていることを特徴としている。
【００１２】
さらに好ましい態様として、上記突起部が、上記摺動子側に設けられ、上記ガイド面が上記固定子側に設けられていることを特徴としている。
【００１３】
また別の態様として、上記摺動子は操作ノブを有し、上記外ケースは上記操作ノブが摺動可能に配置される操作窓を備え、上記操作窓には、上記操作ノブの移動量に対応する上記人感センサの上記自動ドアの踏み込み方向に沿った角度を表示するための目盛が付されていることを特徴としている。
【００１４】
さらに、上記ガイド面には、所定間隔でノッチが刻まれていることを特徴としている。
【発明の効果】
【００１５】
本発明によれば、摺動子を左右にスライドさせるだけで、内ケースの角度を簡単に変えることができる。さらに、ガイド板のガイド面にはノッチが刻まれており、摺動子に設けられた突起部がノッチ部に係合することでクリック感が生まれるため、より角度調整をしやすくなる。
【図面の簡単な説明】
【００１６】
【図１】本発明の自動ドア用センサ装置を無目に取り付けた状態の模式図。
【図２】本発明の第１実施形態に係る上記自動ドアセンサ装置の内部構造を模式的に示した（ａ）上面図，（ｂ）背面図および（ｃ）左側面図。
【図３】角度調整手段の拡大模式図。
【図４】スライド窓を拡大した状態の模式図。
【図５】（ａ）〜（ｄ）摺動体が０°〜１５°のときの、摺動体と内ユニットの状態を示す模式図。
【図６】（ａ）〜（ｃ）角度調整手段の変形例を示す模式図。
【図７】本発明の第２実施形態に係る自動ドア用センサ装置の（ａ）正面側断面図および（ｂ）右側断面図。
【図８】上記第２実施形態の変形例を示す模式図。
【図９】本発明の第３実施形態に係る自動ドア用センサ装置の（ａ）正面側断面図および（ｂ）右側断面図。
【発明を実施するための形態】
【００１７】
次に、本発明のいくつかの実施形態について図面を参照しながら説明するが、本発明はこれに限定されない。図１に示すように、この自動ドア用センサ装置１は、２枚の自動ドア扉ＤＬ，ＤＲを保持する自動ドアＤの上部に設けられた無目２に側面に沿って配置されている。
【００１８】
この第１実施形態において、自動ドアセンサ装置１は、自動ドアＤの無目２に沿って設けられているが、例えば天井に埋設されていてもよいし、さらには壁面などに設けられていてもよく、設置場所は使用に応じて任意に選択されてよい。また、自動ドアＤは片開きであってもよい。
【００１９】
図２に示すように、自動ドアセンサ装置１は、無目２や天井などに取り付けられる化粧ケース１０に、その下面から差し込まれる外ケース３と、外ケース３のさらに内側に水平回転軸線Ｌを中心に回動可能に収納される内ケース４とを備えている。化粧ケース１０は、例えばアルミニウムなどを金属製ケーシングであるが、本発明において化粧ケース１０の仕様は特に限定されない。
【００２０】
ここで、以下の説明において、長側面３ａ，４ａとは、外ケース３および内ケース４の長辺に沿った側面（図２（ｂ）の紙面方向の側面）をいい、短側面３ｂ，４ｂとは、外ケース３および内ケース４の短辺に沿った側面（図２（ｂ）の左右方向の側面）をいう。
【００２１】
外ケース３は、下面が開放された細長い箱形を呈し、その短側面３ｂには、内ケース４の短側面４ｂに設けられた一対の回転軸４１，４１を水平回転軸線Ｌに沿って軸支する軸受け孔３１，３１が設けられている。外ケース３の下端縁には、外ケース３を化粧ケース１０や図示しない天井などに取り付ける際にストッパーとしてのフランジ部３２が設けられている。
【００２２】
内ケース４は、外ケース３の内側に収納可能で、水平回転軸Ｌを中心に回動可能な大きさを有する矩形状の箱体からなり、内ケース４の短側面４ｂには、内ケース４を外ケース３に回動可能に取り付けるための回転軸４１，４１が同軸的に配置されている。
【００２３】
内ケース４の内部には、赤外線発光部と赤外線受光部とを有する人感センサ（ともに図示しない）が内蔵されている。内ケース４の下面には、赤外線を送受光するための送受光窓４２が設けられている。
【００２４】
この実施形態において、内ケース４の中に収納される人感センサは、赤外線光を用いて人を検知する人感センサが用いられているが、これ以外の方式の人感センサであってもよく、人感センサの具体的な仕様などについては、特に限定されない。
【００２５】
外ケース３と内ケース４との間には、外ケース３に対して内ケース４を傾斜させるための角度調整手段５と、内ケース４を常に一定の回転方向にバネ付勢するバネ付勢手段６とを備えている。
【００２６】
図３を併せて参照して、角度調整手段５は、内ケース４の上面（図２（ａ）における上面）に固定されたガイド板５１と、内ケース４と外ケース３との間に挟持された状態で左右（図２（ａ）では左右方向）に摺動する摺動子５２とを備えている。
【００２７】
ガイド板５１は、内ケース４の上面からほぼ垂直に立設され、内ケース４の長手方向に沿って延在している。ガイド板５１には、摺動子５２の突起部５５が接触するガイド面５３が設けられている。
【００２８】
ガイド面５３は、回転軸線Ｌに対して傾斜するように配置された傾斜面であって、その表面には所定の間隔でノッチ溝５３１が刻まれている。ノッチ溝５３１は、摺動子５２をスライドさせた際に、例えば内ケース４を０．５°刻みで傾けるような間隔で設けられていることが好ましい。
【００２９】
この第１実施形態において、摺動子５２は、図２（ｃ）に示すように、外ケース３の内周面に沿って垂直に形成された第１スライド部材５２１と、第１スライド部材５２１の一端（図２（ｃ）では上端）から内ケース４の上面に向けて延設された第２スライド部材５２２とを有し、図２（ｃ）方向から見て断面Ｌ字状に形成されている。
【００３０】
第１スライド部材５２１は、図示しないガイドレールを介して外ケース３の内周面に沿って左右にスライド可能に保持されることが好ましい。第２スライド部材５２２の基端側（図２（ｂ）では下端側）には、摺動子５２を左右にスライドさせる際のツマミ部５４が設けられている。
【００３１】
第２スライド部材５２２の先端面（ガイド面５３に対向する面）には、ガイド面５３に沿って摺接する突起部５５が設けられている。この実施形態において、突起部５５は、第２スライド部材５２２の先端面からガイド面５３に向かって半球状に形成されている。この突起部５５が、ガイド面５３のノッチ溝５３１に係合することによって、クリック感が生まれるようになっている。
【００３２】
再び図２を参照して、この第１実施形態において、バネ付勢手段６は、外ケース３と内ケース４の上面（図２（ｃ）では上面）に突設されている当接板６２との間に介装された圧縮バネ６１からなる。
【００３３】
このように、外ケース３の長側面３ａと、内ケース４の当接板６２との間に圧縮バネ６１を挟むように取り付けることにより、内ケース４が回転軸４１を中心として一定方向（この例では図２（ｃ）では時計回り方向）に常に押圧付勢される。なお、圧縮バネ６１に変えて、回転軸４１にトーションバネを用いるなどしてもよく、内ケース４を一定方向に付勢することができればよい。
【００３４】
図４に示すように、外ケース３の長側面３ｂ（図２（ｂ）では下面）には、ツマミ部５４を操作するための操作窓３３が設けられている。操作窓３３には、ツマミ部５４の位置に合わせて内ケース４の角度を知らせるための目盛りが、この例では５°刻みで０〜１５°の範囲で設けられている。
【００３５】
これによれば、操作窓３３からツマミ部５４の一部を所望の角度位置に合わせてスライドさせるだけで、簡単にビームの照射角度を調整することができる。図５（ａ）〜（ｄ）を参照しながら、この角度調整手段の作用について説明する。
【００３６】
まず図５（ａ）に示すように、摺動子５２が初期位置（０°）において、内ケース４は、外ケース３に対してドア側に若干向いた状態であり、ビームを垂直下に照射する。この状態から摺動子５２を５°の位置に動かすと、突起部５５がガイド板５１に沿って右方向に移動することにより、内ケース４が圧縮バネ６１のバネ付勢力に抗しながら反時計回りに５°回転する。
【００３７】
さらに摺動子５２を１０°の位置に動かすと、突起部５５がガイド板５１に沿って右方向に移動しながら、ガイド板５１をさらに押し上げることにより、内ケース４が反時計回りに１０°回転する。
【００３８】
同様に、摺動子５２を１５°の位置に動かすと、突起部５５がガイド板５１に沿って右方向に移動しながら、ガイド板５１をさらに押し上げることにより、内ケース４が反時計回りに１５°回転する。
【００３９】
この第１実施形態において、摺動子５２は内ケース４を前後に０〜１５°の範囲において首振り可能となっているが、中心を０°として、そこから前後に首振り調整できるようにしてもよい。
【００４０】
すなわち、図６（ａ）〜（ｃ）に示すように、この角度調整機構５は、ガイド板５１のほぼ中央における突起部５５との接触位置が、外ケース３と内ケース４との平行な状態（０
°）であり、そこから摺動子５２を右方向にスライドさせた場合、図６（ｂ）に示すように、＋方向（図６（ｂ）では反時計回り方向）に首振りするようになっている。
【００４１】
逆に、摺動子５２を左方向にスライドさせた場合、図６（ｃ）に示す要因、内ケース４は−方向（図６（ｃ）では時計回り方向）に首振りするようになっている。これによれば、天井などの無目から少し離れた場所に自動ドア用センサ装置１を設置した場合に、前後に首振り角（この例では±１０°）を有することにより、ビームの照射領域をより細かく設定することができる。
【００４２】
上記第１実施形態において、摺動子５２は、外ケース３の長側面３ａに設けられているが、例えば外ケース３の上面側もしくは短側面側に設けられていてもよく、その設置箇所は任意に選択できる。
【００４３】
すなわち、図７（ａ），（ｂ）に示す第２実施形態においては、内ケース４が外ケース３に対して回転軸４１が偏心して配置されている。この例において、バネ付勢手段６は、圧縮バネ６１が外ケース３と内ケース４との上下方向に対向する面の間に収納され、内ケース３が常に時計回りにバネ付勢されるような位置に設けられている。
【００４４】
また、外ケース３の上面側には、操作窓３３が開口されており、操作窓３３の内側に角度調節機構５としての摺動子５２が配置されている。これに対し、内ケース３の上面側には、摺動子５１に相対するガイド面５１が配置されており、操作窓３３からツマミ部５４を操作することににより、内ケース４の首振り角度が調節できるようになっている。この場合、ガイド面５１は、軸線Ｌを含む仮想水平面に対して所定の角度傾斜して配置される。
【００４５】
この第２実施形態において、操作窓３３が外ケース３の上面側に開口されているが、外ケース３の下面（センサ面側）に設けられていてもよい。すなわち、図８（ａ），（ｂ）に示すように、外ケース３の長側面３ａの下端側に摺動子５２を設け、これに対向する内ケース４の長側面４ａにガイド面５１を設けることにより、センサユニットの設置後であっても、センサの角度調節が可能となる。
【００４６】
また、図９（ａ），（ｂ）に示す第３実施形態においては、図７（ａ）と同様に、外ケース３と内ケース４の上下方向の間にバネ付勢手段６が配置されているのは同じであって、外ケース３の短側面３ａと内ケース４の短側面３ｂとの間に角度調節機構５が配置されている。
【００４７】
具体的には、外ケース３の短側面３ａには上下方向（軸線Ｌと直交する方向で、図９（ａ），（ｂ）では上下方向）に沿って操作窓３３が開口されており、その内側に摺動子５２が上下に摺動可能に配置されている。内ケース４の短側面４ａには、摺動子５２の摺動方向沿ってガイド面５１が設けられている。このような方法によっても、摺動子５２を上下方向にスライドさせることで、首振り角度の調節が可能である。
【００４８】
この第１〜第３実施形態において、ガイド面５３は内ケース４側に設けられ、摺動子５２が外ケース３側に設けられているが、摺動子５２の一部にガイド面５３を形成し、内ケース４側にガイド面５３に対する突起部５５を設けてもよく、外ケース３に対して内ケース４が回動可能になれば、逆であってもよい。
【符号の説明】
【００４９】
１  自動ドア用センサ装置
２  無目
３  外ケース
４  内ケース
４１  回転軸
５  角度調整手段
５１  ガイド板
５２  摺動体
５３  ガイド面
５４  ツマミ部
６  バネ付勢手段
６１  圧縮バネ
【図１】
2014066676.tif 000003
【図２】
2014066676.tif 000004
【図３】
2014066676.tif 000005
【図４】
2014066676.tif 000006
【図５】
2014066676.tif 000007
【図６】
2014066676.tif 000008
【図７】
2014066676.tif 000009
【図８】
2014066676.tif 000010
【図９】
2014066676.tif 000011